(57)【特許請求の範囲】
【請求項１】
原稿画像を読み取る読取手段と、
ローカルエリアネットワークに接続可能なインターフェイス手段と、
前記ローカルエリアネットワークのユーザがログイン中であることを示す情報を記憶するＬＡＮ情報記憶手段と、
前記ＬＡＮ情報記憶手段に記憶されているユーザ情報を表示する表示手段と、
前記表示手段で表示しているユーザ情報に基づき前記読取手段で読み取った画像データを転送すべき前記ローカルエリアネットワーク上のユーザを指定する指定手段と、
前記読取手段で読み取った画像データを前記指定手段で指定されたユーザに対応付けて記憶する画像記憶手段とを有することを特徴とする画像処理装置。
【請求項２】
更に、前記ローカルエリアネットワーク上のユーザを管理している端末から該ユーザに関する情報を所定間隔で受信する第１の受信手段と、
前記第１の受信手段で受信した情報に基づき前記ＬＡＮ情報記憶手段に記憶されている情報を更新する第１の更新手段とを有することを特徴とする請求項１に記載の画像処理装置。
【請求項３】
更に、前記指定手段による指定のための動作が開始された場合に、前記ローカルエリアネットワーク上のユーザを管理している端末から該ユーザに関する情報を受信する第２の受信手段と、
前記第２の受信手段で受信した情報に基づき前記ＬＡＮ情報記憶手段に記憶されている情報を更新する第２の更新手段とを有することを特徴とする請求項１に記載の画像処理装置。
【請求項４】
更に、前記指定手段で指定されたユーザに関する情報が更新されたか否か確認する確認手段と、
前記確認手段で該情報が更新されていることを確認した場合に、前記指定手段で指定したユーザを管理している端末から該ユーザに関する情報を受信する第３の受信手段と、
前記第３の受信手段で受信した情報に基づき前記ＬＡＮ情報記憶手段に記憶されている情報を更新する第３の更新手段とを有することを特徴とする請求項１に記載の画像処理装置。
【請求項５】
更に、前記確認手段でユーザに関する情報が更新されていることを確認した場合に、その旨を報知する報知手段を有することを特徴とする請求項４に記載の画像処理装置。
【請求項６】
前記ローカルエリアネットワーク上のユーザに関する情報が更新されたことを検出する検出手段と、
前記検出手段でユーザに関する情報が更新されたことを検出した場合に前記ローカルエリアネットワーク上のユーザを管理している端末から該ユーザに関する情報を受信する第４の受信手段と、
前記第４の受信手段で受信した情報に基づき前記ＬＡＮ情報記憶手段に記憶されている情報を更新する第４の更新手段とを有することを特徴とする請求項１に記載の画像処理装置。
【請求項７】
前記第４の更新手段は前記検出手段で情報が更新されたことを検出されたユーザのみの該ユーザに関する情報を更新することを特徴とする請求項６に記載の画像処理装置。
【請求項８】
原稿画像を読み取る読取手段と、
ローカルエリアネットワークに接続可能なインターフェイス手段と、
前記ローカルエリアネットワークのクライアントマシンがログイン中であることを示す情報を記憶するＬＡＮ情報記憶手段と、
前記ＬＡＮ情報記憶手段に記憶されているクライアントマシンの情報を表示する表示手段と、
前記表示手段で表示しているクライアントマシンの情報に基づき前記読取手段で読み取った画像データを転送すべき前記ローカルエリアネットワーク上のクライアントマシンを指定する指定手段と、
前記読取手段で読み取った画像データを前記指定手段で指定されたクライアントマシンに対応付けて記憶する画像記憶手段とを有することを特徴とする画像処理装置。
【請求項９】
更に、前記ローカルエリアネットワーク上のクライアントマシンを管理している端末から該クライアントマシンに関する情報を所定間隔で受信する第１の受信手段と、
前記第１の受信手段で受信した情報に基づき前記ＬＡＮ情報記憶手段に記憶されている情報を更新する第１の更新手段とを有することを特徴とする請求項８に記載の画像処理装置。
【請求項１０】
更に、前記指定手段による指定のための動作が開始された場合に、前記ローカルエリアネットワーク上のクライアントマシンを管理している端末から該クライアントマシンに関する情報を受信する第２の受信手段と、
前記第２の受信手段で受信した情報に基づき前記ＬＡＮ情報記憶手段に記憶されている情報を更新する第２の更新手段とを有することを特徴とする請求項８に記載の画像処理装置。
【請求項１１】
更に、前記指定手段で指定されたクライアントマシンに関する情報が更新されたか否か確認する確認手段と、
前記確認手段で該情報が更新されていることを確認した場合に、前記指定手段で指定したクライアントマシンを管理している端末から該クライアントマシンに関する情報を受信する第３の受信手段と、
前記第３の受信手段で受信した情報に基づき前記ＬＡＮ情報記憶手段に記憶されている情報を更新する第３の更新手段とを有することを特徴とする請求項８に記載の画像処理装置。
【請求項１２】
更に、前記確認手段でユーザまたはクライアントマシンに関する情報が更新されていることを確認した場合に、その旨を報知する報知手段を有することを特徴とする請求項１１に記載の画像処理装置。
【請求項１３】
前記ローカルエリアネットワーク上のクライアントマシンに関する情報が更新されたことを検出する検出手段と、
前記検出手段でクライアントマシンに関する情報が更新されたことを検出した場合に前記ローカルエリアネットワーク上のクライアントマシンを管理している端末からから該クライアントマシンに関する情報を受信する第４の受信手段と、
前記第４の受信手段で受信した情報に基づき前記ＬＡＮ情報記憶手段に記憶されている情報を更新する第４の更新手段とを有することを特徴とする請求項８に記載の画像処理装置。
【請求項１４】
前記第４の更新手段は前記検出手段で情報が更新されたことを検出されたクライアントマシンのみの該クライアントマシンに関する情報を更新することを特徴とする請求項１３に記載の画像処理装置。
【発明の詳細な説明】
【０００１】
【発明の属する技術分野】
本発明は原稿画像を読み取り、この読み取った画像データを処理するための画像処理装置に関し、特にローカルエリアネットワーク（ＬＡＮ）に接続可能な画像処理装置に関するものである。
【０００２】
【従来の技術】
従来より、この種の装置としてスキャナ装置が知られている。一般にスキャナ装置はコンピュータに接続され、セットされている原稿の画像をコンピュータ（コンピュータにインストールされているアプリケーションソフトウェアによる）からの指示によって読み取り、この読み取った画像データをコンピュータに取り込むようにしている。
【０００３】
【発明が解決しようとする課題】
しかしながら、このようなスキャナ装置をローカルエリアネットワーク等のネットワークに接続し、多数の使用者により共用することを考えると、このスキャナ装置は各使用者から離れた位置に設置されることが多くなる。そのため、従来のように原稿をスキャナ装置にセットし、その後、自分の使用しているコンピュータの所まで行き読み取り指示を行い、そして再びスキャナ装置の所へ行って読み取らせた原稿を回収する必要があり、使用者にとって非常に煩わしく操作性の悪いものであった。
また、ローカルエリアネットワーク上に存在しないユーザを指定した場合、行き先が判らず読み取った画像データが装置内で滞留してしまうという問題があった。
【０００４】
本発明は上述の問題点に鑑みてなされたもので、読み取った画像データをローカルエリアネットワーク上のユーザまたはクライアントマシンに転送する際の操作性を向上するとともに読取手段の長時間の占有を防止でき、またローカルエリアネットワーク上に存在するユーザまたはクライアントマシンに転送できる画像処理装置を提供することを目的とする。
【０００５】
【課題を解決するための手段】
上記目的を達成するために本発明の画像処理装置は以下の構成を備える。
【０００６】
原稿画像を読み取る読取手段と、ローカルエリアネットワークに接続可能なインターフェイス手段と、前記ローカルエリアネットワークのユーザがログイン中であることを示す情報を記憶するＬＡＮ情報記憶手段と、前記ＬＡＮ情報記憶手段に記憶されているユーザ情報を表示する表示手段と、前記表示手段で表示しているユーザ情報に基づき前記読取手段で読み取った画像データを転送すべき前記ローカルエリアネットワーク上のユーザを指定する指定手段と、前記読取手段で読み取った画像データを前記指定手段で指定されたユーザに対応付けて記憶する画像記憶手段とを有する。
【０００７】
【発明の実施の形態】
以下、図面を参照して本発明の実施形態の一例について詳細に説明する。
【０００８】
図１は、本発明の実施形態例であるファクシミリ装置の構成を示すブロック図である。同図において、ＣＰＵ１０１は、システム制御部であり、装置全体を制御する。ＲＯＭ１０２は、ＣＰＵ１０１のための制御プログラムを格納するものである。ＲＡＭ１０３は、ＳＲＡＭ等で構成され、プログラム制御変数等を格納するためのものである。また、オペレータが登録した設定値や装置の管理データ等や各種ワーク用バッファもＲＡＭ１０３に格納されるものである。蓄積メモリ１０４は、ＤＲＡＭ等で構成され、画像データを蓄積するものである。解像度変換処理部１０５は、ラスタデータのミリ−インチ変換等の解像度変換制御を行なうものである。
【０００９】
通信用符号化復号化処理部１０６は、読取時の符号化方式と送信時の符号化方式が異なる場合に、通信用に符号化を行ない、受信時の符号化データを記録用に復号化するものである。読取／記録用符号化復号化処理部１０７は、読取時及び記録時に画像データの符号化、復号化処理を行なう。ＭＯＤＥＭ１０８は、ファクシミリ通信の送受信信号の変復調を行なうものであり、ＮＣＵ１０９は、選択信号（ダイヤルパルスまたはトーンダイヤラ）を有線回線ｉ／ｆ１１７を介して有線通信回線１２０に、あるいは無線回線ｉ／ｆ１１８を介して無線通信回線１２１に送出する機能を有し、呼び出し音の検出による自動着信動作も行なう。有線／無線回線制御部１１９は、有線回線ｉ／ｆ１１７及び無線回線ｉ／ｆ１１８の制御を行なう。
【００１０】
スキャナ１１１は、ＣＳイメージセンサ、原稿搬送機構などで構成され、原稿を光学的にライン単位で読み取って電気的な画像データに変換するものである。画像処理部１１０は、スキャナ１１１で読み取られた画像データに補正処理を施して高精細な画像データを出力するものである。
【００１１】
操作部１１２は、キーボード等で構成され、オペレータが各種入力操作を行なうためのものである。外部表示部１１３は、ＬＣＤ、ＬＥＤ等で各種情報をユーザに表示通知するためのものである。
【００１２】
プリンタフォーマッタ１１４は、ワークステーションなどからのファイルデータのプリントを行なう際に、プリンタ記述言語等のコードデータを解析し、画像データに変換するものである。プリンタ１１５は、受信画像やファイルデータを記録紙に可視記録する装置である。
【００１３】
有線ＬＡＮｉ／ｆ１２２は有線ＬＡＮ１２５に、無線ＬＡＮｉ／ｆ１２３は無線ＬＡＮ１２６に本ファクシミリ装置を接続するためのインターフェイスであり、有線ＬＡＮｉ／ｆ１２２及び無線ＬＡＮｉ／ｆ１２３は有線／無線ＬＡＮ制御部１２４によって制御される。ＬＡＮ制御部１１６は、有線ＬＡＮ１２５あるいは無線ＬＡＮ１２６上のサーバ及び端末とデータの授受を行なうために、データの処理を行なうものである。
【００１４】
また、ＬＡＮ情報記憶メモリ１２７はネットワーク（有線ＬＡＮ１２５及び無線ＬＡＮ１２６）上のユーザまたはクライアントに関する情報を記憶するためのメモリである。この情報は操作部１１２の操作によって外部表示部１１３に表示され、操作者によって選択される。操作部１１２にはこのＬＡＮ上の宛先選択手段が含まれる。
【００１５】
図２は、図１に示したファクシミリ装置の接続形態を示す概略図である。
【００１６】
２０１は、図１に示したファクシミリ装置であり、直接有線ＬＡＮ１２５および無線ＬＡＮ１２６に接続可能なファクシミリ装置である。
【００１７】
２０２は、該ファクシミリ装置の接続されている有線ＬＡＮ１２５のサーバマシンであり、有線ＬＡＮ１２５および有線ＬＡＮ１２５上のファイル、プロトコルの管理を行なう。また、有線ＬＡＮ１２５上のクライアントまたはユーザの管理プロセサとデータもこのサーバマシン２０２上におかれる。
【００１８】
２０３および２０４は、有線ＬＡＮ１２５に接続されたクライアントマシン（情報処理端末）である。
【００１９】
２０５は、クライアントマシンからのプリント要求を受け付け、プリンタに出力する制御を行なうプリンタサーバであり、２０６は、プリント画像データを記録出力するプリンタである。
【００２０】
２０７は、無線ＬＡＮ１２６に接続されたクライアントマシンである。
【００２１】
２０８は、有線通信回線（ＰＳＴＮ）１２０を通してファクシミリ装置２０１と通信を行なうファクシミリ装置である。
【００２２】
２１０は、回線網であり、有線通信回線１２０は、ファクシミリ装置２０１、２０８や無線基地局２０９を回線網２１０に接続する。
【００２３】
無線ＬＡＮ１２６は、無線ＬＡＮインターフェースを持つファクシミリ装置やクライアントマシンにより構成される。
【００２４】
無線通信回線１２１は、無線回線インターフェース１１８を介してファクシミリ装置２０１と無線基地局２０９を結ぶものである。
【００２５】
図３はＬＡＮ情報記憶メモリ１２７内に記憶されるＬＡＮ上のユーザおよびクライアントの管理情報内容を示したものである。
【００２６】
ユーザ情報にはＬＡＮ上で使用が許可されたユーザに関する情報が管理される。各ユーザ毎にユーザ名称とユーザがｌｏｇｉｎしているホスト名が管理される。ユーザ名称もｌｏｇｉｎホスト名もＣＰＵ１０１で読み取り可能なテキスト列のデータである。
【００２７】
クライアント情報はＬＡＮに接続されたクライアントマシンに関する情報が管理される。各クライアント毎にクライアントマシンのネットワーク上のホストアドレスとクライアントマシンの状態が管理される。ホストアドレスはＴＣＰ／ＩＰプロトコルでは例えば１２３．４５６．７８９．００１等のデータであり、ホスト状態としては接続、非接続（ｌｏｇｉｎしているか否か）等がある。
【００２８】
図４は原稿画像のスキャン処理の流れを示すフローチャートである。以下に示すフローチャートはＲＯＭ１０２に格納されたプログラムに基づきＣＰＵ１０１により制御される動作の流れである。
【００２９】
ＬＡＮ上のユーザに転送すべき画像を読み取る処理であるスキャン処理は、まず操作部１１２のスキャン指示キーの押下（通常のコピー指示、ファクシミリ送信原稿の読取指示とは異なる）を検出する（ステップＳ１）ことから開始される。このスキャン指示キー押下を検出後、ＬＡＮ情報記憶メモリ１２７内にユーザ情報が格納されているかどうかをチェックする（ステップＳ２）。もし、情報が格納されていなければエラー終了する。情報が格納されていれば、ＬＡＮ情報記憶メモリ１２７の先頭に格納されているユーザ情報のユーザ名を外部表示部１１３に表示させ（ステップＳ３）、操作部１１２のスクロールキーと確定キーの押下をチェックする（ステップＳ４、Ｓ５）。もし、スクロールキーが押下されれば、表示されているユーザ情報の次のユーザ情報が格納されているかどうかをチェックし（ステップＳ１０）、次のユーザ情報があればこれを表示させる（ステップＳ３）。次のユーザ情報がなければ何もしない。確定キーが押下された場合は、その時点で表示されていたユーザ情報をもって確定とする（ステップＳ６）。そして受け付け番号、時刻等の必要な情報をＬＡＮ情報記憶メモリ１２７に設定した後（ステップＳ７）、スキャナ１１１により原稿画像の読み取りを開始させる。原稿読み取り終了後、または原稿読み取りと同時に読み取った画像データをステップＳ６で確定したユーザ用としてこのＬＡＮ上のユーザ名と対応付けて蓄積メモリ１０４に蓄積する（ステップＳ９）。この後、ネットワークのサーバマシンが管理する各ユーザ毎のメールボックスのようなメモリエリアにファイルとして転送してもよいし、直接ユーザの使用しているクライアントマシンのメモリに転送してもよい。また、上述の例ではユーザ名を指定して、画像データをユーザ名と対応付けて蓄積するようにしたが、クライアントマシンのホスト名を指定し、このホスト名と画像データを対応付けて蓄積するようにしてもよい。また、転送される際は常にユーザ名またはクライアントマシンのホスト名が画像データと対応付けられた形で行われる。
【００３０】
図５は、ＬＡＮ上のユーザ情報の取得方法について示したフローチャートである。
【００３１】
前回のユーザ情報取得時間からの所定時間経過を監視する（ステップＳ１１）。所定時間が経過した場合、ＬＡＮ上のサーバマシンに対して、ＬＡＮ上のユーザ情報の取得要求を送出し、情報を得る（ステップＳ１２）。この情報はＬＡＮ情報記憶メモリ１２７に格納され、データが更新される。ユーザ情報の取得方法としては、全ユーザ情報取得、新規ユーザ情報、削除ユーザ情報、変更ユーザ情報等の分類で取得することが可能である。そして情報取得完了後、ユーザ情報の取得時刻を更新する（ステップＳ１３）。
【００３２】
図６は、ＬＡＮ上のユーザの情報の取得方法の他の例について示したフローチャートである。
【００３３】
まず、前述と同様スキャン処理の開始を指示するスキャン指示キーの押下を検出すると（ステップＳ２１）、ＬＡＮ上のサーバマシンのユーザ情報管理プロセサにユーザ情報の取得要求を送出し、ＬＡＮ上のユーザの情報を受け取り、ＬＡＮ情報記憶メモリ１２７に記憶され、更新される（ステップＳ２２）。以下、ステップＳ２３〜３０の処理は前述のステップＳ３〜１０の処理と同様であるので、ここでの説明は省略する。
【００３４】
図７は、スキャン処理及びＬＡＮ上のユーザの情報の取得方法の更に他の例について示したフローチャートである。
【００３５】
スキャン処理は、前述同様まずスキャン指示キーの押下を検出する（ステップＳ３１）ことから開始される。キー押下を検出後、ＬＡＮ情報記憶メモリ１２７内にユーザ情報が格納されているかどうかをチェックする（ステップＳ３２）。もし、情報が格納されていなければネットワーク上のサーバマシンのユーザ情報管理プロセサに対してユーザ情報の取得要求を送出し、ユーザ情報を取得し（ステップＳ４３）、この受け取ったユーザ情報をＬＡＮ情報記憶メモリ１２７に蓄積し、更新する（ステップＳ４４）。その後、エラーが発生したことを示すアラームおよび表示を行わせ（ステップＳ４５）、エラー終了する。
【００３６】
一方、ユーザ情報が格納されていれば、先頭に格納されているユーザ情報を表示させ（ステップＳ３３）、スクロールキーと確定キーの押下をチェックする（ステップＳ３４、Ｓ３５）。もし、スクロールキーが押下されれば、表示されているユーザ情報の次のユーザ情報が格納されているかどうかをチェックし（ステップＳ４２）、次データがあればこれを表示させる（ステップＳ３３）。次データがなければ何もしない。確定キーが押下された場合は、その時点で表示されていたユーザ情報をもって確定とする（ステップＳ３６）。そして確定したユーザ情報はネットワーク上のサーバマシンのユーザ情報管理プロセサに対してユーザ情報の照会要求を行い、内容をチェックする（ステップＳ３７）。その結果が正しい、すなわち最新のユーザ管理情報と一致すれば（ステップＳ３８）、受け付け番号、時刻等の必要な情報をＬＡＮ情報記憶メモリ１２７に設定した後（ステップＳ３９）、スキャナ１１１により原稿読み取りを開始する（ステップＳ４０）。もし、データの不一致が検出されればステップＳ３７で参照したユーザ情報に従って、ＬＡＮ情報記憶メモリ１２７内のユーザ情報を更新する（ステップＳ４４）。原稿読み取り終了後、または原稿読み取りと同時に読み取った画像データをステップＳ３６で確定したユーザ用としてこのＬＡＮ上のユーザ名と対応付けて蓄積メモリ１０４に蓄積する（ステップＳ４１）。この後、ネットワークのサーバマシンが管理する各ユーザ毎のメールボックスのようなメモリエリアにファイルとして転送してもよいし、直接ユーザの使用しているクライアントマシンのメモリに転送してもよい。また、ユーザ名のかわりにクライアントマシンのホスト名としてもよい。尚、転送される際は常にユーザ名またはクライアントマシンのホスト名が画像データと対応付けられた形で実行される。
【００３７】
図８は、ネットワーク上のサーバマシンのユーザ情報管理プロセサによるファクシミリ装置２０１のＬＡＮ情報記憶メモリ１２７をユーザ情報更新させる方法について示したフローチャートである。
【００３８】
ユーザ情報の追加、変更、削除等の更新操作が行われる（ステップ５１）と、最新のユーザ情報をファクシミリ装置２０１に通知するためのユーザデータのダウンロードを実行する（ステップＳ５２）。ファクシミリ装置２０１は受信したデータをＬＡＮ情報記憶メモリ１２７に格納する。さらに、ファクシミリ装置２０１のＬＡＮ情報記憶メモリ１２７内のデータとファイルサーバの管理プロセサ内のデータが一致しているかどうかのヴェリファイを実施する（ステップＳ５３）。これによって、ネットワーク上のユーザ情報とファクシミリ装置２０１が記憶するユーザ情報の内容が同一の状態を維持できる。
【００３９】
以上述べた様に本実施形態によれば、原稿の読み取り開始の指示及び読み取った画像データの転送先であるＬＡＮ上のユーザの指定をファクシミリ装置２０１の操作部１１２で行えるので、ファクシミリ装置と転送先のユーザのクライアントマシンとの間を往来する手間を省くことができる。従って操作性が著しく向上する。また、読み取られた画像データは転送先のユーザ名またはクライアントマシンのホスト名と対応付けられているのでネットワーク内で行先が判らず滞留してしまうのを防ぐことができる。また、読み取った画像データは転送先のユーザ名またはクライアントマシンのホスト名と対応付けて一旦蓄積メモリ１０４に蓄積するので、転送先のクライアントマシンが何らかの理由で受信できない状態にあっても何度も読み取りの操作を繰り返すことによるファクシミリ装置２０１の長時間の占有を防止できる。また、ＬＡＮ情報記憶メモリ１２７内のユーザ情報が適宜更新され最新化されるので、存在しないユーザへの転送等の誤った処理を防止できる。
【００４０】
なお、図４〜７のフローチャートはＲＯＭ１０２に格納されたプログラムに基づきＣＰＵ１０１が制御する処理の流れであり、図８のフローチャートはサーバマシン２０２にインストールされたユーザ情報管理プロセサソフトウェアによる処理の流れであるが、これらのフローチャートの流れを示すプログラムを光磁気ディスク等の着脱可能な記憶媒体に格納し、このプログラムを解読可能な他の装置にも適用できる。
【００４１】
【発明の効果】
以上説明した様に本発明によれば、ローカルエリアネットワークのユーザまたはクライアントマシンがログイン中であることを示す情報を記憶し、この情報に基づく情報を表示し、この表示した情報に基づき読み取った画像データを転送すべきユーザまたはクライアントクライアントマシンを指定するようにしたので操作性の向上を図ることができ、また更に、読み取った画像データは転送すべきユーザまたはクライアントマシンと対応付けて記憶するので同一原稿の読み取り処理を繰り返し行うことによる読取手段の長時間の占有を防止できる。そして、現在ログイン中のユーザまたはクライアントマシンを指定できるのでユーザまたはクライアントマシン不在のためのエラー発生を防止することができる。
【図面の簡単な説明】
【図１】本発明の実施形態例であるファクシミリ装置の概略構成を示すブロック図である。
【図２】図１に示したファクシミリ装置のネットワーク接続形態例を示す図である。
【図３】ＬＡＮ情報記憶メモリ１２７に記憶される情報の内容を示す図である。
【図４】原稿画像のスキャン処理の流れを示すフローチャートである。
【図５】ユーザ情報の取得処理の流れを示すフローチャートである。
【図６】スキャン処理及びユーザ情報の取得処理の他の例の流れを示すフローチャートである。
【図７】スキャン処理及びユーザ情報の取得処理の更に他の例の流れを示すフローチャートである。
【図８】サーバマシン２０２のユーザ情報管理プロセサによりファクシミリ装置２０１のＬＡＮ情報記憶メモリ１２７内のユーザ情報を更新させる処理の流れを示すフローチャートである。
【符号の説明】
１０１  ＣＰＵ
１０２  ＲＯＭ
１０３  ＲＡＭ
１０４  蓄積メモリ
１０５  解像度変換処理部
１０６  通信用符号化復号化処理部
１０７  読取／記録用符号化復号化処理部
１０８  ＭＯＤＥＭ
１０９  ＮＣＵ
１１０  画像処理部
１１１  スキャナ
１１２  操作部
１１３  外部表示部
１１４  プリンタフォーマッタ
１１５  プリンタ
１１６  ＬＡＮ制御部
１１７  有線回線ｉ／ｆ
１１８  無線回線ｉ／ｆ
１１９  有線／無線回線制御部
１２２  有線ＬＡＮｉ／ｆ
１２３  無線ＬＡＮｉ／ｆ
１２４  有線／無線ＬＡＮ制御部
【図１】
0003666968.tif 000002
【図２】
0003666968.tif 000003
【図３】
0003666968.tif 000004
【図４】
0003666968.tif 000005
【図５】
0003666968.tif 000006
【図６】
0003666968.tif 000007
【図７】
0003666968.tif 000008
【図８】
0003666968.tif 000009